(57)【特許請求の範囲】
【請求項１】
離間状に配された左右一対の弓形分割半体と、両弓形分割半体の対向縁側内外両面に、長さ方向に所定間隔をおいて固定せられた内外多数対のＬ形ローラ取付け部材と、両弓形分割半体の内取付け部材どうしの間および同外取付け部材どうしの間にわたし止められた固定軸と、各固定軸にベアリングを介してはめられたガイド・ローラとよりなり、撚線が内ガイド・ローラと外ガイド・ローラとの間でかつ両弓形分割半体の間を移動するようになされている弓形フライヤを備えた撚線装置。
【請求項２】
さらに、弓形フライヤからトラバース・ローラに導かれる途上の撚線に関与するようにクレードルに設けられた撚線の残留応力除去手段を備え、この残留応力除去手段は、台板上に端面が対向するように配置せられた水平固定板および水平可動板と、固定板の対向縁側にそって１列に取り付けられた複数の第１ローラと、可動板の対向縁側にそって第１ローラと喰い違い状に取り付けられた第２ローラとよりなり、固定板に対し可動板が近接・離間自在でかつ所定位置で台板に固定自在であって、固定板に向かい可動板を近接せしめることにより、第１ローラ列と第２ローラ列とで両者間を移動する撚線を押圧蛇行せしめるようになされている請求項１記載の撚線装置。
【発明の詳細な説明】
【０００１】
【発明の属する技術分野】
本発明は、撚線装置に関する。
【０００２】
【従来の技術】
【０００３】
【特許文献】
特開２０００−１７５９０
従来、撚線装置の弓形フライヤの内面には、超硬合金製またはセラミック製ガイド・チップが取り付けられるとともに、フライヤの回転遠心力により撚線が接触するフライヤ内面部分には、耐摩耗性および耐摩擦性の向上のため、バネ鋼板、セラミックス板およびステンレス鋼板などが貼り付けられていた。
【０００４】
しかしながら、撚線を構成する素線にメッキ若しくはコーティングが施されている場合または銅線に較べて滑り性の悪いアルミニウム線が用いられた場合には、撚線ガイド・チップに接触するとともにフライヤの回転遠心力によりフライヤ内面貼着板に接触して、メッキが剥がれたり、コーティングまたはアルミニウム線に傷がついたりすることがあった。
【０００５】
そこで、ガイド・チップに代えてガイド・ローラが用いられるようになってきた。この種の弓形フライヤは、図４〜図６に示すように、弓形本体(41)と、弓形本体(41)の両縁側内面に、長さ方向に所定間隔をおいて固定せられた多数のＬ形ローラ取付け部材(42)と、対向する取付け部材(42)どうしの間にわたし止められた内外一対の固定軸(43)と、各固定軸(43)にベアリング(44)を介してはめられたガイド・ローラ(45)(46)とよりなり、撚線(T1)が各対をなすガイド・ローラ(45)(46)間を移動するようになされているものである。
【０００６】
【発明が解決しようとする課題】
ガイド・ローラを用いた上記弓形フライヤでは、撚線のガイド・チップとの接触による問題は解消せられたもののフライヤの回転遠心力による撚線のフライヤ内面貼着板への接触による問題は依然残っている。
【０００７】
本発明の目的は、上記フライヤの回転遠心力に起因する問題を解消した撚線装置を提供するにある。
【０００８】
【課題を解決するための手段】
請求項１の発明による撚線装置は離間状に配された左右一対の弓形分割半体と、両弓形分割半体の対向縁側内外両面に、長さ方向に所定間隔をおいて固定せられた内外多数対のＬ形ローラ取付け部材と、両弓形分割半体の内取付け部材どうしの間および同外取付け部材どうしの間にわたし止められた固定軸と、各固定軸にベアリングを介してはめられたガイド・ローラとよりなり、撚線が内ガイド・ローラと外ガイド・ローラとの間でかつ両弓形分割半体の間を移動するようになされている弓形フライヤを備えたものである。
【０００９】
請求項２の発明は、請求項１記載の撚線装置において、さらに、弓形フライヤからトラバース・ローラに導かれる途上の撚線に関与するようにクレードルに設けられた撚線の残留応力除去手段を備え、この残留応力除去手段は、台板上に端面が対向するように配置せられた水平固定板および水平可動板と、固定板の対向縁側にそって１列に取り付けられた複数の第１ローラと、可動板の対向縁側にそって第１ローラと喰い違い状に取り付けられた複数の第２ローラとよりなり、固定板に対し可動板が近接・離間自在でかつ所定位置で台板に固定自在であって、固定板に向かい可動板を近接せしめることにより第１ローラ列と第２ローラ列とで両者間を移動する撚線を押圧蛇行せしめるようになされているものである。
【００１０】
【発明の実施の形態】
本発明の実施の形態を、図面を参照して説明する。なお、この明細書において、「前」とは図１の左側を、「後」とは同図の右側を、「左」とは図３および図６の左側を、「右」とは同図の右側をそれぞれいうものとする。また、「内」とは、図１のボビンのある方向を、「外」とはその反対方向をいうものとする。
【００１１】
撚線装置は、二度撚り集合撚線装置であって、図１に示すように枠状のクレードル(1)に着脱自在に装着された巻取りボビン(2)と、クレードル(1)の周囲を回転せしめられる弓形フライヤ(3)と、弓形フライヤ(3)の後端がテーパ状折曲縁付き円盤(4)を介して取り付けられかつ周壁に横長孔を有し、クレードル(1)の後部に固着せられた第１中空水平主軸(5)と、弓形フライヤ(3)の前端がテーパ状折曲縁付き円盤(4)を介して取り付けられかつ周壁に横長孔を有し、クレードル(1)の前部に固着せられた第２中空水平主軸(6)と、一部が横長孔より中空部内にはめ入れられて第１中空水平主軸(5)に取り付けられかつ後方から供給された複数本の素線(W)を、中空部および横長孔を通して弓形フライヤ(3)に案内するとともにフライヤ(3)の回転にともなって複数本の素線(W)に一度目の撚りを与える一度撚り付与兼ガイド・ローラ(7)と、一部が横長孔より中空部内にはめ入れられて第２中空水平主軸(6)に取り付けられかつ弓形フライヤ(3)の前端から引き出された一度撚り撚線(T1)を横長孔および中空部を通して中空部の外へ案内するとともに弓形フライヤ(3)の回転にともなって一度撚りせられた撚線(T1)に２度目の撚りを与える２度撚り付与兼ガイド・ローラ(8)と、弓形フライヤ(3)と同調して回転し弓形フライヤ(3)で二度撚り撚線(T2)を引き取る一対の巻付けドラム(9)(10)を含むキャプスタン(11)と、キャプスタン(11)で引き取られた撚線(T2)をクレードル(1)に装着されているボビン(2)に一側端から順次密に螺旋状に導くように往復案内するトラバース・ローラ(12)と、キャプスタン(11)とトラバース・ローラ(12)との間に介在せられている第１および第２ガイド・ローラ(13)(14)と、キャプスタン(11)の一対の巻付けドラム(9)(10)間に配置せられた撚線の残留応力除去手段(15)とを備えている。
【００１２】
弓形フライヤ(3)は、図１ないし図３に示すように、離間状に配された左右一対の弓形分割半体(16)(17)と、両弓形分割半体(16)(17)の対向縁側内外両面に、長さ方向に所定間隔をおいて固定せられた内外多数対のＬ形ローラ取付け部材(18)(19)と、両弓形分割半体(16)(17)の内取付け部材(18)どうしの間および同外取付け部材(19)どうしの間にわたし止められた固定軸(20)と、各固定軸(20)にベアリング(21)を介してはめられた溝付きガイド・ローラ(22)(23)とよりなり、一度撚りせられた撚線(T1)が内ガイド・ローラ(22)と外ガイド・ローラ(23)との間でかつ両弓形分割半体(16)(17)の間を移動するようになされているものである。したがって、フライヤ(3)の回転遠心力により撚線(T1)が接触するものは存在しない。
【００１３】
内外一対のＬ形ローラ取付け部材(18)(19)の固定は、つぎのようにして果たされる（図３参照）。すなわち、左弓形分割半体(16)の対向縁側両面に左内外一対のＬ形ローラ取付け部材(18)(19)の水平部(18a)(19a)をそわせてこれを挟むとともに、同垂直部(18b)(19b)の右面を左弓形分割半体(16)の右端面にそろえ、左弓形分割半体(16)を介して内外の上記水平部(18a)(19a)をボルト・ナット(24)で固定し、同様に右弓形分割半体(17)の対向縁側両面に右内外一対のＬ形ローラ取付け部材(18)(19)の水平部(18a)(19a)をそわせてこれを挟むとともに、同垂直部(18b)(19b)の左面を右弓形分割半体(17)の左端面にそろえ、右弓形分割半体(17)を介して内外の上記水平部(18a)(19a)をボルト・ナット(24)で固定する。ガイド・ローラ(22)(23)の回転中心にある固定軸(20)には、ボルトが用いられている。すなわち、左Ｌ形ローラ取付け部材(18)(19)の垂直部(18b)(19b)から右Ｌ形ローラ取付け部材(18)(19)の垂直部(18b)(19b)にボルトを貫通するとともに、これにベアリング(21)および両側スペーサ・リング(25)をはめ、ナット(26)で締め止めるものである。
【００１４】
撚線の残留応力除去手段(15)は、弓形フライヤ(3)からトラバース・ローラ(12)に導かれる途上の撚線(T2)に関与せしめられるものであって、キャプスタン(11)の一対の巻付けドラム(9)(10)間に配置せられた台板(27)上に端面が対向するように配置せられた長方形水平固定板(28)および長方形水平可動板(29)と、固定板(28)の対向縁側にそって１列に取り付けられた複数の溝付き第１ローラ(30)と、可動板(29)の対向縁側にそって第１ローラ(30)と喰い違い状に取り付けられた複数の第２ローラ(31)とよりなり、固定板(28)に対し可動板(29)が近接・離間自在でかつ所定位置で台板(27)に固定自在であって、固定板(28)に向かい可動板(29)を近接せしめることにより、第１ローラ(30)列と第２ローラ(31)列とで両者間を移動する撚線(T)を押圧蛇行せしめるようになされている。
【００１５】
移動する撚線(T2)が上記のように第１ローラ(30)列と第２ローラ(31)列とで押圧蛇行せしめられることにより、撚られた状態が崩れないようにかためられる。
【００１６】
固定板(28)に対し可動板(29)が近接・離間自在でかつ所定位置で台板(27)に固定自在であるようにするため、可動板(29)の両端部に前後方向にのびた長孔(32)があけられており、可動板(29)の上から固定ボルト(33)が台板(27)に設けられた垂直雌ねじ部にねじ込まれており、これをねじ戻すと可動板(29)は台板(27)上を前後に摺動自在となり、これをねじ締めると可動板(29)は台板(27)に固定せられる。台板(27)の前端には、両端部にねじ孔を有する立上り壁(34)が設けられており、両ねじ孔に押圧用ボルト(35)が貫通状にねじ込まれてその先端が可動板(29)の前端面に当接せしめられている。両押圧用ボルト(35)をねじ進めれば、可動板(29)はこれらに押されて固定板(28)に近接する。近接前、第１ローラ(30)列と第２ローラ(31)列との間をまっすぐのびていた撚線(T)は、近接後蛇行して緊張状態となる。そこで、立上り壁(34)の前側において押圧ボルト(35)にはめられているロック・ナット(36)をねじ締めれば、撚線(T)は両ローラ(30)(31)列間を緊張状態を保って蛇行状に移動する。
【００１７】
【発明の効果】
請求項１の発明の撚線装置によれば、フライヤの回転遠心力により撚線が接触するものはなにも存在しないので、撚線を構成する素線にメッキ若しくはコーティングが施されていたりまたはアルミニウム線が用いられていても、メッキが剥がれたり、コーティングまたはアルミニウム線の損傷するおそれがない。さらに、撚線が左右一対の弓形分割半体の間を移動するので、フライヤの回転による風圧の影響を受けず、撚線の品質が安定したものとなる利点もある。
【００１８】
また、請求項２の発明の撚線装置によれば、上記に加え、所定の撚り完了後の移動する撚線が撚線の残留応力除去手段における第１ローラ列と第２ローラ列とで押圧蛇行せしめられ、撚られた状態が崩れないように保持せられるので、撚線を切断した場合、その切断部分から撚りが戻るというようなことはない。
【図面の簡単な説明】
【図１】本発明の撚線装置の一部を切り欠いた平面図である。
【図２】本発明における左右弓形分割半体の部分拡大側面図である。
【図３】本発明における弓形フライヤの拡大横断面図である。
【図４】従来の撚線装置における弓形フライヤの平面図である。
【図５】従来例の弓形本体の部分側面図である。
【図６】従来例における弓形フライヤの拡大横断面図である。
【図７】本発明における撚線装置の撚線の残留応力除去手段の拡大平面図である。
【図８】図７のVIII−VIII線にそう拡大断面図である。
【符号の説明】
(3)：弓形フライヤ
(9)(10)：巻付けドラム
(11)：キャプスタン
(12)：トラバース・ローラ
(15)：撚線の残留応力除去手段
(16)：左弓形分割半体
(17)：右弓形分割半体
(18)：内Ｌ形ローラ取付け部材
(19)：外Ｌ形ローラ取付け部材
(20)：固定軸
(21)：ベアリング
(22)：内ガイド・ローラ
(23)：外ガイド・ローラ
(27)：台板
(28)：水平固定板
(29)：水平可動板
(30)：第１ローラ
(31)：第２ローラ
(T1)(T2)：撚線
【図１】
0003658670.tif 000002
【図２】
0003658670.tif 000003
【図３】
0003658670.tif 000004
【図４】
0003658670.tif 000005
【図５】
0003658670.tif 000006
【図６】
0003658670.tif 000007
【図７】
0003658670.tif 000008
【図８】
0003658670.tif 000009